(57)【要約】【課題】測定装置を用いた場合であっても、人の視覚に基づく画像認識に近い定量的な評価結果が得られる新規な透明物品の評価方法を提供する。【解決手段】透明物品１の第２主面１ｂ側にパターンマスク１１を配置するとともに、パターンマスク１１を挟んで第２主面１ｂ側に面光源１０を配置する。許容錯乱円径３０〜７０μｍにおける前方被写界深度内に透明物品１の第１主面１ａ及びパターンマスク１１のトップ面１１ａが含まれるようにして、第１主面１ａ側から透明物品１を撮像する。撮像することで得られた画像データを解析して得られるパターンマスク１１のピクセル輝度の標準偏差を、画像データを解析して得られるパターンマスク１１のピクセル輝度の平均値で除することによりスパークル値を求める。スパークル値に基づいて透明物品１のぎらつきを評価する。【選択図】図１
2018132496.tif 000002
【特許請求の範囲】
【請求項１】
表側に位置する第１主面及び裏側に位置する第２主面を有する透明物品の評価方法であって、
前記透明物品の前記第２主面側にパターンマスクを配置するとともに、前記パターンマスクを挟んで前記第２主面側に面光源を配置し、
許容錯乱円径３０〜７０μｍにおける前方被写界深度内に前記透明物品の前記第１主面及び前記パターンマスクのトップ面が含まれるようにして、前記第１主面側から前記透明物品を撮像し、
撮像することで得られた画像データを解析して得られる前記パターンマスクのピクセル輝度の標準偏差を、前記画像データを解析して得られる前記パターンマスクのピクセル輝度の平均値で除することによりスパークル値を求め、
前記スパークル値に基づいて前記透明物品のぎらつきを評価することを特徴とする透明物品の評価方法。
【請求項２】
前記透明物品を撮像する際のレンズの焦点位置を前記パターンマスクのトップ面に合わせることを特徴とする請求項１に記載の透明物品の評価方法。
【発明の詳細な説明】
【技術分野】
【０００１】
本発明は、透明物品の評価方法に関する。
【背景技術】
【０００２】
従来、表示装置の視認性を向上する観点から、表示装置の表示面上に反射防止層やアンチグレア層を設けることが提案されている。例えば、特許文献１には、基材の上に低屈折率層からなる反射防止層を設けるとともに、低屈折率層の主面がアンチグレア処理された、反射防止機能と防眩機能とを兼ね備える反射防止層が記載されている。
【先行技術文献】
【特許文献】
【０００３】
【特許文献１】特開平１０−２２１５０６号公報
【発明の概要】
【発明が解決しようとする課題】
【０００４】
ところで、表示装置の表示面に配される透明物品は、当該透明物品を透過して見える像を人が見やすいと感じるものであることが好ましい。そして、透明物品の評価について、人の目による官能評価以外にも、測定装置を用いた評価についても行われている。しかしながら、測定装置を用いた評価では、人が表示装置の表示面を見ている状態を再現すること、すなわち、人の視覚に基づく画像認識（人の目の構造、目の働き、及び脳における処理を経た画像認識）を再現することは非常に困難である。そのため、測定装置を用いた場合、表示装置の表示面に配される透明物品に関して、人の視覚に基づく画像認識に基づいた像の見やすさを定量的に評価することが難しいという実情がある。
【０００５】
この発明は、こうした実情に鑑みてなされたものであり、その目的は、測定装置を用いた場合であっても、人の視覚に基づく画像認識に近い定量的な評価結果が得られる新規な透明物品の評価方法を提供することにある。
【課題を解決するための手段】
【０００６】
上記の目的を達成するための透明物品の評価方法は、表側に位置する第１主面及び裏側に位置する第２主面を有する透明物品の評価方法であって、前記透明物品の前記第２主面側にパターンマスクを配置するとともに、前記パターンマスクを挟んで前記第２主面側に面光源を配置し、許容錯乱円径３０〜７０μｍにおける前方被写界深度内に前記透明物品の前記第１主面及び前記パターンマスクのトップ面が含まれるようにして、前記第１主面側から前記透明物品を撮像し、撮像することで得られた画像データを解析して得られる前記パターンマスクのピクセル輝度の標準偏差を、前記画像データを解析して得られる前記パターンマスクのピクセル輝度の平均値で除することによりスパークル値を求め、前記スパークル値に基づいて前記透明物品のぎらつきを評価する。
【０００７】
上記構成によれば、測定装置を用いた場合であっても、透明物品のスパークル現象によるぎらつきに関して、人の視覚に基づく画像認識に近い定量的な評価を行うことができる。
【０００８】
上記透明物品の評価方法において、前記透明物品を撮像する際のレンズの焦点位置を前記パターンマスクのトップ面に合わせることが好ましい。
上記構成によれば、測定装置を用いた場合であっても、人の視覚に基づく画像認識により近い測定結果が得られる。
【発明の効果】
【０００９】
本発明の透明物品の評価方法によれば、測定装置を用いた場合であっても、人の視覚に基づく画像認識に近い定量的な評価結果が得られる。
【図面の簡単な説明】
【００１０】
【図１】スパークル値測定の説明図。
【図２】パターンマスクの説明図。
【図３】クラリティ値測定の説明図。
【発明を実施するための形態】
【００１１】
（第１実施形態）
以下、第１実施形態の透明物品の評価方法について説明する。
表示装置の表示面に配される透明物品に関して、当該透明物品を透過して見える像を人が見やすいと知覚する要素の一つとして、スパークル現象によるぎらつきが少ないことが挙げられる。スパークル現象によるぎらつきは、以下のようにして生じていると考えられる。すなわち、表示装置の表示面に配した透明物品の表面に、アンチグレア面等の凹凸形状が存在していると、その凹凸形状がレンズとして働くことにより、表示装置の１ピクセル中の輝度にばらつきが生じる。人の視覚に基づく画像認識（人の目の構造、目の働き、及び脳における処理を経た画像認識）は、この輝度のばらつきを、様々な色のぎらつきと感じる。第１実施形態の透明物品の評価方法は、透明物品におけるスパークル現象によるぎらつきを定量的に評価するものである。以下、その詳細について説明する。
【００１２】
まず、評価対象となる透明物品について説明する。
透明物品は、表側に位置する第１主面と、裏側に位置する第２主面とを有するシート状又は板状をなしている。透明物品は、例えば、表示装置の表示面に配されて使用される。透明物品は、表示装置の表示面の上に取り付けられる部材であってもよい。すなわち、透明物品は、表示装置に事後的に取り付けられる部材であってもよい。
【００１３】
透明物品の材質は特に限定されるものではない。透明物品の材質としては、例えば、ガラス、及び樹脂が挙げられる。透明物品の材質は、ガラスであることが好ましく、ガラスとしては、例えば、無アルカリガラス、アルミノシリケートガラス、ソーダライム、化学強化ガラス等の公知のガラスを用いることができる。なお、公知のガラスのなかでも、アルミノシリケートガラスを用いること、特に、質量％で、ＳｉＯ２：５０〜８０％、Ａｌ２Ｏ３：５〜２５％、Ｂ２Ｏ３：０〜１５％、Ｎａ２Ｏ：１〜２０％、Ｋ２Ｏ：０〜１０％を含有する化学強化ガラスを用いることが好ましい。
【００１４】
透明物品は、少なくとも第１主面に、透光性のアンチグレア面を有する。また、透明物品は、第２主面に、アンチグレア面を有するものであってもよい。アンチグレア面の構造は特に限定されるものではない。アンチグレア面としては、例えば、コーティング剤を塗布する処理により形成されるアンチグレア面、及びブラスト処理やエッチング処理により形成されるアンチグレア面が挙げられる。また、透明物品は、反射防止層や防汚層等のその他の層を有するものであってもよい。
【００１５】
次に、第１主面側から透明物品を見た場合における透明物品のぎらつきを評価する評価方法について説明する。
図１は、透明物品の評価方法に用いられる測定装置の概略図である。図１に示すように、面光源１０の上にパターンマスク１１を配置するとともに、パターンマスク１１の上に、アンチグレア面を有する第１主面１ａの反対側の面である第２主面１ｂがパターンマスク１１側を向くようにして透明物品１を配置する。すなわち、透明物品１の第２主面１ｂ側にパターンマスク１１を配置するとともに、パターンマスク１１を挟んで、透明物品１の第２主面１ｂ側に面光源１０を配置する。そして、透明物品１の第１主面１ａ側に所定の焦点距離のレンズを有する光検出器１２を配置する。なお、透明物品１の第１主面１ａが、表示装置の外側となる。
【００１６】
面光源１０としては、単色の面光源を用いる。パターンマスク１１としては、例えば、ピクセルサイズが１０〜１００μｍ×１０〜１００μｍ、ピクセルピッチが３０〜３００μｍの８５〜８００ｐｐｉのパターンマスクを用いる。
【００１７】
光検出器１２のレンズとして、焦点距離が例えば、８０〜１５０ｍｍのレンズを用いる。光検出器１２のレンズの絞り径を例えば、３〜５ｍｍに設定する。また、光検出器１２のピクセルサイズを例えば、２〜４μｍ×２〜４μｍに設定する。そして、許容錯乱円径３０〜７０μｍにおける前方被写界深度内に、透明物品１の第１主面１ａ及びパターンマスク１１のトップ面１１ａが共に含まれる位置となるように、パターンマスク１１及び透明物品１を配置する。なお、人の視覚に基づく画像認識により近い測定結果が得られやすくなることから、透明物品１の第１主面１ａ及びパターンマスク１１のトップ面１１ａを、許容錯乱円径４０〜６０μｍにおける前方被写界深度内に位置させることが好ましく、許容錯乱円径５０〜５５μｍにおける前方被写界深度内に位置させることがより好ましい。
【００１８】
具体的な配置構成の一例としては、図２に示すように、ピクセルサイズ１０μｍ×４０μｍ、ピクセルピッチ５０μｍの５００ｐｐｉのパターンマスクを用いることが好ましい。光検出器１２としては、ＳＭＳ−１０００（Ｄｉｓｐｌａｙ−Ｍｅｓｓｔｅｃｈｎｉｋ＆Ｓｙｓｔｅｍｅ社製）を用いる。そして、図１に示すように、光検出器１２のレンズの焦点距離を１００ｍｍに設定し、レンズ絞り径を４．５ｍｍに設定する。また、光検出器１２のセンサーサイズは１／３型であり、ピクセルサイズは３．７５μｍ×３．７５μｍである。そして、焦点位置にトップ面１１ａが位置するようにパターンマスク１１を配置するとともに、パターンマスク１１のトップ面１１ａから第１主面１ａまでの距離が１ｍｍとなるように透明物品１を配置する。
【００１９】
次に、透明物品１の第１主面１ａに対して、パターンマスク１１を介して面光源１０からの光を照射し、光検出器１２により、透明物品１を撮像し、透明物品１の第１主面１ａの画像データを取得する。上記画像データは、パターンマスク１１の１ピクセル当たり２０ピクセル以上となる解像度であることが好ましい。そして、得られた画像データを解析して、パターンマスク１１の各ピクセルのピクセル輝度を求める。次いで、ピクセル間のピクセル輝度の標準偏差及びピクセル輝度の平均値を求める。得られたピクセル間のピクセル輝度の標準偏差及びピクセル輝度の平均値に基づいて、下記式（１）によりスパークル値を算出する。ピクセル間のピクセル輝度の標準偏差及びピクセル輝度の平均値の測定は、例えば、ＳＭＳ−１０００のスパークル測定モード（ソフトウェア  Ｓｐａｒｋｌｅ  ｍｅａｓｕｒｅｍｅｎｔ  ｓｙｓｔｅｍ）により測定することができる。
【００２０】
スパークル値＝[パターンマスクのピクセル輝度の標準偏差]／[パターンマスクのピクセル輝度の平均値]  ・・・（１）
上記式（１）により算出されたスパークル値は、透明物品１について、人が知覚するぎらつきと相関関係を有している。具体的には、上記スパークル値が高いほど、人はぎらつきが大きいと知覚しやすい、という相関関係を有している。したがって、上記スパークル値を用いることにより、透明物品１のスパークル現象によるぎらつきに関して、人の視覚に基づく画像認識に近い定量的な評価を行うことができる。
【００２１】
次に、本実施形態の効果について記載する。
（１）透明物品１の第２主面１ｂ側にパターンマスク１１を配置するとともに、パターンマスク１１を挟んで第２主面１ｂ側に面光源１０を配置する。許容錯乱円径３０〜７０μｍにおける前方被写界深度内に透明物品１の第１主面１ａ及びパターンマスク１１のトップ面１１ａが含まれるようにして、第１主面１ａ側から透明物品１を光検出器１２により撮像する。撮像することで得られた画像データを解析して得られるパターンマスク１１のピクセル輝度の標準偏差を、画像データを解析して得られるパターンマスク１１のピクセル輝度の平均値で除することによりスパークル値を求める。スパークル値に基づいて透明物品１のぎらつきを評価する。
【００２２】
上記構成によれば、測定装置を用いた場合であっても、透明物品のスパークル現象によるぎらつきに関して、人の視覚に基づく画像認識に近い定量的な評価を行うことができる。
【００２３】
（２）透明物品１を撮像する際のレンズの焦点位置をパターンマスク１１のトップ面１１ａに合わせる。
上記構成によれば、測定装置を用いた場合であっても、人の視覚に基づく画像認識により近い測定結果が得られる。
【００２４】
（第２実施形態）
以下、第２実施形態の透明物品の評価方法について説明する。
表示装置の表示面に配される透明物品に関して、当該透明物品を透過して見える像を人が見やすいと知覚する要素の一つとして、映り込みが抑えられていることが挙げられる。第２実施形態の透明物品の評価方法は、スパークル現象によるぎらつきを定量的に評価することに加えて、透明物品における映り込みを定量的に評価するものである。
【００２５】
スパークル現象によるぎらつきの評価方法は、第１実施形態の評価方法と同様である。以下、第１主面側から透明物品を見た場合における映り込みを評価する評価方法について説明する。なお、評価対象となる透明物品は、第１実施形態において説明した透明物品と同様である。
【００２６】
図３に示すように、黒色材２０（例えば、厚さ５ｍｍ以上の黒色ガラス）上に、アンチグレア面を有する第１主面１ａが上側に位置するように透明物品１を配置する。また、透明物品１の第１主面１ａ側に、ライン光源２１、及び所定の焦点距離のレンズを有する光検出器２２をそれぞれ配置する。光検出器２２としては、ＳＭＳ−１０００（Ｄｉｓｐｌａｙ−Ｍｅｓｓｔｅｃｈｎｉｋ＆Ｓｙｓｔｅｍｅ社製）を用いる。
【００２７】
ライン光源２１は、透明物品１の厚さ方向と平行な方向（第１主面１ａの法線方向）に対して一方側（マイナス方向）に第１角度Θｉ傾いた位置に配置される。第１角度Θｉは、例えば、１〜５°の範囲とする。光検出器２２は、透明物品１の厚さ方向と平行な方向に対して他方側（プラス方向）に第２角度Θｒ傾いた位置に配置される。第２角度Θｒは、例えば、１〜５°の範囲とする。光検出器２２のレンズから透明物品１の第１主面１ａまでの距離は、例えば、３００〜５００ｍｍの範囲とする。光検出器２２のレンズとしては、例えば、焦点距離１０〜２０ｍｍのレンズを用いる。なお、ライン光源２１と、光検出器２２は、透明物品１の第１主面１ａの同一法平面内に配置されている。具体的な配置構成の一例としては、ライン光源２１を第１角度Θｉが３°となる位置に配置するとともに、焦点距離１６ｍｍのレンズを有する光検出器２２を、透明物品１の第１主面１ａから４１０ｍｍの位置にレンズが位置するように配置する。
【００２８】
次に、透明物品１の第１主面１ａに対してライン光源２１からの光を照射する。そして、光検出器２２により、透明物品１の第１主面１ａの画像データを取得するとともに、その画像データを解析して、第１主面１ａに映り込んだ像の「−５°≦Θ＊（＝Θｒ−Θｉ）≦５°」の範囲における輝度分布データを測定する。得られた輝度分布データより求められる全反射光の輝度及び正反射成分の輝度に基づいて、下記式（２）によりクラリティ値を算出する。
【００２９】
クラリティ値（％）＝[正反射成分の輝度]／[全反射光の輝度]×１００  ・・・（２）
輝度分布データの測定は、例えば、ＳＭＳ−１０００の反射分布測定モード（ソフトウェア  Ｓｐａｒｋｌｅ  ｍｅａｓｕｒｅｍｅｎｔ  ｓｙｓｔｅｍ）により測定することができる。なお、正反射成分の輝度とはピーク輝度の半値幅の範囲の輝度を表す。
【００３０】
上記式（２）により算出されたクラリティ値は、透明物品１について、人が知覚する映り込みと相関関係を有している。具体的には、クラリティ値が高いほど、人は映り込みが大きいと知覚しやすい、という相関関係を有している。したがって、上記クラリティ値を用いることにより、透明物品１の映り込みに関して、人の視覚に基づく画像認識に近い定量的な評価を行うことができる。
【００３１】
次に、本実施形態の効果について記載する。
（３）透明物品の評価方法は、透明物品１のぎらつきの評価に加えて、透明物品１の第１主面１ａに光源を映り込ませた像の輝度分布データから得られる全反射光の輝度に対する正反射成分の割合として求められるクラリティ値に基づいて、透明物品１の映り込みを評価する。
【００３２】
上記構成によれば、透明物品の映り込みに関して、人の視覚に基づく画像認識に近い定量的な評価を行うことができる。
【実施例】
【００３３】
以下に試験例を挙げ、上記実施形態をさらに具体的に説明する。なお、本発明はこれらに限定されるものではない。
＜試験１＞
光学特性の異なる７種類の透明物品Ａ〜Ｇを用意し、各透明物品のスパークル値を測定した。また、各透明物品のぎらつきについて、人の視覚に基づく官能評価を行い、官能評価の結果と測定されたスパークル値とを比較した。参考として、各透明物品のＧｌｏｓｓ値を測定し、測定されたＧｌｏｓｓ値と、ぎらつきの官能評価の結果とを比較した。
【００３４】
（透明物品Ａ〜Ｄ）
厚さ１ｍｍのシート状のガラス基材（日本電気硝子社製：Ｔ２Ｘ−１）の表面に対して、スプレーコーティング装置を用いて、スプレーコート法によりアンチグレア面を形成することによりＧｌｏｓｓ値が異なる透明物品Ａ〜Ｄを作製した。コーティング剤としては、水を含む液状媒体にアンチグレア膜の前駆体（テトラエトキシシラン）を溶解することで調製したコーティング剤を用いた。また、スプレー時間、焼成温度、及び焼成時間を変えることで４種類のＧｌｏｓｓ値の異なる透明物品Ａ、Ｂ、Ｃ、Ｄを作製した。
【００３５】
（透明物品Ｅ〜Ｇ）
エッチング法により形成されたアンチグレア面を有するＧｌｏｓｓ値の異なる３種類のガラス物品をそれぞれ透明物品Ｅ〜Ｇとして用いた。
【００３６】
（スパークル値の測定）
ＳＭＳ−１０００（Ｄｉｓｐｌａｙ−Ｍｅｓｓｔｅｃｈｎｉｋ＆Ｓｙｓｔｅｍｅ社製）を用いて、スパークル測定モードにより透明物品Ａ〜Ｇのスパークル値を測定した。焦点距離１００ｍｍのレンズを用い、レンズ絞り径を４．５ｍｍ又は７．５ｍｍに設定した。また、光検出器のセンサーサイズは１／３型であり、ピクセルサイズは３．７５μｍ×３．７５μｍである。そして、焦点位置にトップ面が位置するようにパターンマスクを配置するとともに、パターンマスクのトップ面から第１主面までの距離が１．０ｍｍとなるように透明物品Ａ〜Ｇを配置した。
【００３７】
なお、レンズ絞り径を４．５ｍｍに設定した場合には、パターンマスクのトップ面及び透明物品の第１主面は共に、許容錯乱円径５３μｍにおける前方被写界深度内に位置する。一方、レンズ絞り径を７．５ｍｍに設定した場合には、パターンマスクのトップ面のみが許容錯乱円径５３μｍにおける前方被写界深度内に位置し、透明物品の第１主面は上記前方被写界深度の外に位置する。より具体的に説明すると、上記の各構成の配置は、レンズ絞り径を７．５ｍｍに設定した場合において、許容錯乱円径８０μｍにおける前方被写界深度内には、パターンマスクのトップ面及び透明物品の第１主面が共に含まれるものの、許容錯乱円径７５μｍ以下における前方被写界深度内には透明物品の第１主面が含まれない配置になっている。
【００３８】
したがって、レンズ絞り径を４．５ｍｍに設定して測定したスパークル値は、パターンマスクのトップ面及び透明物品の第１主面を許容錯乱円径３０〜７０μｍにおける前方被写界深度内に位置させて測定したスパークル値となる。そして、レンズ絞り径を７．５ｍｍに設定して測定したスパークル値は、透明物品の第１主面を許容錯乱円径３０〜７０μｍにおける前方被写界深度の外に位置させて測定したスパークル値となる。
【００３９】
（Ｇｌｏｓｓ値の測定）
ＪＩＳ  Ｚ８７４１（１９９７）に準拠して、透明物品Ａ〜ＧのＧｌｏｓｓ値（％）を測定した。その結果を表１に示す。
【００４０】
（官能評価との比較）
２０人のパネラーが、透明物品Ａ〜Ｇのアンチグレア面が形成されている側と反対側からライトを当てつつ、アンチグレア面が形成されている側の主面を観察し、透明物品Ａ〜Ｇについて、ぎらつきが少ないと感じた順にそれぞれ順位付けを行った。そして、各透明物品について全パネラーが付した順位の数値を合計し、その合計値が少ないものほど、ぎらつきが少ないとして、透明物品Ａ〜Ｇをぎらつきが少ない順に並べた。その結果を表２に示す。
【００４１】
また、測定されたスパークル値が小さい順に透明物品Ａ〜Ｇを並べ、そのスパークル値に基づく順番と、官能評価に基づく順番とを比較した。測定されたＧｌｏｓｓ値が小さい順に透明物品Ａ〜Ｇを並べ、そのＧｌｏｓｓ値に基づく順番と、官能評価に基づく順番とを比較した。その結果を表２に示す。
【００４２】
【表１】
2018132496.tif 000003
【００４３】
【表２】
2018132496.tif 000004
表２に示すように、パターンマスクのトップ面及び透明物品の第１主面を許容錯乱円径３０〜７０μｍにおける前方被写界深度内に位置させて測定したスパークル値（レンズ絞り径４．５ｍｍ）に基づく順番は、官能評価に基づく順番と一致した。一方、透明物品の第１主面を許容錯乱円径３０〜７０μｍにおける前方被写界深度の外に位置させて測定したスパークル値（レンズ絞り径７．５ｍｍ）に基づく順番、及びＧｌｏｓｓ値に基づく順番は、官能評価に基づく順番と一致しなかった。この結果から、パターンマスクのトップ面及び透明物品の第１主面を許容錯乱円径３０〜７０μｍにおける前方被写界深度内に位置させて測定したスパークル値を用いることにより、透明物品のスパークル現象によるぎらつきに関して、人の視覚に基づく画像認識に近い定量的な評価を行うことができることが分かる。
【００４４】
＜試験２＞
光学特性の異なる４種類の透明物品Ｈ〜Ｋを用意し、各透明物品のクラリティ値を測定した。また、各透明物品の映り込みについて、人の視覚に基づく官能評価を行い、官能評価の結果と測定されたクラリティ値とを比較した。参考として、各透明物品のＧｌｏｓｓ値を測定し、測定されたＧｌｏｓｓ値と、映り込みの官能評価の結果とを比較した。
【００４５】
（透明物品Ｈ〜Ｋ）
厚さ１．３ｍｍのシート状のガラス基材（日本電気硝子社製：Ｔ２Ｘ−１）の表面に対して、スプレーコーティング装置を用いて、スプレーコート法によりアンチグレア面を形成することにより映り込み状態が異なる透明物品Ｈ〜Ｋを作製した。コーティング剤としては、水を含む液状媒体にアンチグレア膜の前駆体（テトラエトキシシラン）を溶解することで調製したコーティング剤を用いた。
【００４６】
（クラリティ値の測定）
ＳＭＳ−１０００（Ｄｉｓｐｌａｙ−Ｍｅｓｓｔｅｃｈｎｉｋ＆Ｓｙｓｔｅｍｅ社製）を用いて、反射分布測定モードにより透明物品Ｈ〜Ｋのクラリティ値（％）を測定した。なお、焦点距離１６ｍｍのレンズを用い、第１角度Θｉを３°、透明物品の第１主面からレンズの距離を４１０ｍｍに設定した。また、クラリティ値の測定は、透明物品のアンチグレア面が形成されている側の主面をＳＭＳ−１０００のレンズ側に向けた状態として行った。クラリティ値の測定結果を表３に示す。
【００４７】
（Ｇｌｏｓｓ値の測定）
ＪＩＳ  Ｚ８７４１（１９９７）に準拠して、透明物品Ｈ〜ＫのＧｌｏｓｓ値（％）を測定した。その結果を表３に示す。
【００４８】
（官能評価との比較）
２０人のパネラーが、透明物品Ｈ〜Ｋのアンチグレア面が形成されている側の主面を観察し、透明物品Ａ〜Ｇについて、映り込みが少ないと感じた順にそれぞれ順位付けを行った。そして、各透明物品について全パネラーが付した順位の数値を合計し、その合計値が少ないものほど、映り込みが少ないとして、透明物品Ｈ〜Ｋを映り込みが少ない順に並べた。その結果を表４に示す。
【００４９】
そして、測定されたクラリティ値が小さい順に透明物品Ｈ〜Ｋを並べ、そのクラリティ値に基づく順番と、官能評価に基づく順番とを比較した。また、測定されたＧｌｏｓｓ値が大きい順に透明物品Ｈ〜Ｋを並べ、そのＧｌｏｓｓ値に基づく順番と、官能評価に基づく順番とを比較した。その結果を表４に示す。
【００５０】
【表３】
2018132496.tif 000005
【００５１】
【表４】
2018132496.tif 000006
表４に示すように、クラリティ値に基づく順番は、官能評価に基づく順番と一致した。一方、Ｇｌｏｓｓ値に基づく順番は、官能評価に基づく順番と一致しなかった。この結果から、クラリティ値を用いることにより、透明物品の映り込みに関して、人の視覚に基づく画像認識に近い定量的な評価を行うことができることが分かる。
【符号の説明】
【００５２】
１…透明物品、１ａ…第１主面、１ｂ…第２主面、１０…面光源、１１…パターンマスク、１１ａ…トップ面、１２，２２…光検出器、２０…黒色材、２１…ライン光源。
【図１】
2018132496.tif 000007
【図２】
2018132496.tif 000008
【図３】
2018132496.tif 000009